(57)【要約】【課題】  特別なテスト音声信号を用いずに、周波数特性の調整を適切に行う。【解決手段】  周波数分布解析部２１０Iが、再生出力の対象となった楽曲コンテンツをそのまま反映したコンテンツ音声の周波数分布解析を行って、基準周波数分布ＲＳＰIを得る。引き続き、調整補正量算出部２２０が、出力音量の設定値を考慮した周波数分布ＳＰIを算出する。そして、調整補正量算出部２２０が、周波数分布ＳＰIのレベル値が所定レベル値ＬＶTH以上となる範囲を、周波数特性の補正を行う補正周波数範囲に決定する。一方、周波数分布解析部２１０Oが、当該楽曲コンテンツの再生出力音声が収音された収音音声の周波数分布解析を行って、周波数分布ＳＰOを得る。こうして得られた周波数分布ＳＰOと、周波数分布ＳＰIとの比較結果に基づいて、決定された補正周波数範囲における調整補正量を算出する。【選択図】  図３
2012085198.tif 000002
【特許請求の範囲】
【請求項１】
音声を含んだコンテンツの再生音声を、スピーカから音場空間へ向けて出力させる音響装置であって、
前記音場空間における所定位置で収音を行う収音手段と；
前記スピーカからの出力音声の前記収音手段による収音結果を解析して、前記所定位置における音声の第１周波数分布を取得する第１解析手段と；
前記スピーカから出力される音声の音量調整情報に基づいて調整がなされた第２周波数分布を算出する算出手段と；
前記第２周波数分布に基づいて、前記スピーカから出力される音声の周波数特性の補正を行う補正周波数範囲を決定する決定手段と；
前記第１周波数分布及び前記第２周波数分布の双方の前記決定された補正周波数範囲内の部分に基づいて、前記スピーカに供給される音響信号の周波数特性を補正する補正手段と；
を備えることを特徴とする音響装置。
【請求項２】
前記音量調整情報による調整がなされる前に、前記コンテンツにおける音声情報を解析して、第３周波数分布を取得する第２解析手段を更に備える、ことを特徴とする請求項１に記載の音響装置。
【請求項３】
前記コンテンツにおける音声情報を解析して得られ、前記音量調整情報に基づく調整の対象となる第３周波数分布を記憶する記憶手段を更に備える、ことを特徴とする請求項１又は２に記載の音響装置。
【請求項４】
前記決定手段は、前記第２周波数分布におけるレベル値が所定値以上となる周波数範囲を、前記補正周波数範囲に決定する、ことを特徴とする請求項１〜３のいずれか一項に記載の音響装置。
【請求項５】
前記コンテンツは、楽曲コンテンツである、ことを特徴とする請求項１〜４のいずれか一項に記載の音響装置。
【請求項６】
音声を含んだコンテンツの再生音声を、スピーカから音場空間へ向けて出力させる音響装置において使用される周波数特性調整方法であって、
前記音場空間における所定位置で収音を行う収音工程と；
前記スピーカからの出力音声の前記収音工程における収音結果を解析して、前記所定位置における音声の第１周波数分布を取得する解析工程と；
前記スピーカから出力される音声の音量調整情報に基づいて調整がなされた第２周波数分布を算出する算出工程と；
前記第２周波数分布に基づいて、前記スピーカから出力される音声の周波数特性の補正を行う補正周波数範囲を決定する決定工程と；
前記第１周波数分布及び前記第２周波数分布の双方の前記決定された補正周波数範囲内の部分に基づいて、前記スピーカに供給される音響信号の周波数特性を補正する補正工程と；
を備えることを特徴とする周波数特性調整方法。
【請求項７】
請求項６に記載の周波数特性調整方法を演算手段に実行させる、ことを特徴とする周波数特性調整プログラム。
【請求項８】
請求項７に記載の周波数特性調整プログラムが、演算手段により読み取り可能に記録されている、ことを特徴とする記録媒体。
【発明の詳細な説明】
【技術分野】
【０００１】
本発明は、音響装置、周波数特性調整方法及び周波数特性調整プログラム、並びに、当該周波数特性調整プログラムが記録された記録媒体に関する。
【背景技術】
【０００２】
従来から、音声コンテンツを再生出力する音響装置が広く普及している。かかる音響装置では、音声コンテンツに忠実な音声を再生するのが理想である。しかしながら、一般に、スピーカの周波数特性、音声再生空間の周波数特性が一様ではないので、音声コンテンツに忠実な音声信号をスピーカに供給したのでは、当該音声再生空間内の聴取者に対して、音声コンテンツに忠実な音声を提供できるとは限らない。
【０００３】
このため、多くの音響装置では、音声コンテンツに忠実な音声信号に対して周波数特性調整を施して、スピーカへ供給するための音声信号を生成するイコライジング処理が行われるようになっている。かかるイコライジング処理に際して、特別なテスト音声信号を用いずに、通常の音声コンテンツの再生出力結果を利用して、自動的に音声信号の周波数特性の調整量を決定する技術が提案されている（特許文献１参照：以下、「従来例」と呼ぶ）。
【０００４】
この従来例の技術では、音声再生空間に配設されたマイクロフォンで拾ったスピーカ再生音声の周波数分布と、音声コンテンツに忠実な音声信号の周波数分布との比較を行う。そして、当該比較の結果に基づいて、両者の周波数分布間の相対差を打ち消すように、スピーカへ供給するための音声信号に周波数特性を調整するようになっている。
【先行技術文献】
【特許文献】
【０００５】
【特許文献１】特開平５−１８４０００号公報
【発明の概要】
【発明が解決しようとする課題】
【０００６】
上述した従来例の技術では、音声帯域の全領域について、マイクロフォンで拾ったスピーカ再生音声の周波数分布と、音声コンテンツに忠実な音声信号の周波数分布との比較を行っている。このため、マイクロフォンで拾ったスピーカ再生音声における音声帯域の一部に、音声コンテンツに忠実な音声信号の周波数分布から見て無視することができないレベルのノイズが含まれると、当該ノイズが音声コンテンツに含まれているものとして、周波数特性の調整量を決定してしまう。この結果、余分な周波数特性の調整を行ってしまう。
【０００７】
このため、特別なテスト音声信号を用いずに、ノイズ音の影響を低減しつつ、周波数特性の調整を行うことができる技術が待望されている。かかる要請に応えることが、本発明が解決すべき課題の一つとして挙げられる。
【０００８】
本発明は、上記の事情を鑑みてなされたものであり、特別なテスト音声信号を用いずに、周波数特性の調整を適切に行うことができる新たな音響装置及び周波数特性調整方法を提供することを目的とする。
【課題を解決するための手段】
【０００９】
請求項１に記載の発明は、音声を含んだコンテンツの再生音声を、スピーカから音場空間へ向けて出力させる音響装置であって、前記音場空間における所定位置で収音を行う収音手段と；前記スピーカからの出力音声の前記収音手段による収音結果を解析して、前記所定位置における音声の第１周波数分布を取得する第１解析手段と；前記スピーカから出力される音声の音量調整情報に基づいて調整がなされた第２周波数分布を算出する算出手段と；前記第２周波数分布に基づいて、前記スピーカから出力される音声の周波数特性の補正を行う補正周波数範囲を決定する決定手段と；前記第１周波数分布及び前記第２周波数分布の双方の前記決定された補正周波数範囲内の部分に基づいて、前記スピーカに供給される音響信号の周波数特性を補正する補正手段と；を備えることを特徴とする音響装置である。
【００１０】
請求項６に記載の発明は、音声を含んだコンテンツの再生音声を、スピーカから音場空間へ向けて出力させる音響装置において使用される周波数特性調整方法であって、前記音場空間における所定位置で収音を行う収音工程と；前記スピーカからの出力音声の前記収音工程における収音結果を解析して、前記所定位置における音声の第１周波数分布を取得する解析工程と；前記スピーカから出力される音声の音量調整情報に基づいて調整がなされた第２周波数分布を算出する算出工程と；前記第２周波数分布に基づいて、前記スピーカから出力される音声の周波数特性の補正を行う補正周波数範囲を決定する決定工程と；前記第１周波数分布及び前記第２周波数分布の双方の前記決定された補正周波数範囲内の部分に基づいて、前記スピーカに供給される音響信号の周波数特性を補正する補正工程と；を備えることを特徴とする周波数特性調整方法である。
【００１１】
請求項７に記載の発明は、請求項６に記載の周波数特性調整方法を演算手段に実行させる、ことを特徴とする周波数特性調整プログラムである。
【００１２】
請求項８に記載の発明は、請求項７に記載の周波数特性調整プログラムが、演算手段により読み取り可能に記録されている、ことを特徴とする記録媒体である。
【図面の簡単な説明】
【００１３】
【図１】本発明の第１実施形態に係る音響装置の構成を概略的に示すブロック図である。
【図２】図１のデジタル処理部の構成を示すブロック図である。
【図３】図２の処理制御部の構成を示すブロック図である。
【図４】図１のアナログ処理部の構成を示すブロック図である。
【図５】第１実施形態における周波数特性の補正処理を説明するためのフローチャートである。
【図６】収音音声及び音量補正コンテンツ音声の周波数分布の例を示す図である。
【図７】調整補正量の算出結果の例を示す図である。
【図８】本発明の第２実施形態に係る音響装置における処理制御部の構成を示すブロック図である。
【図９】図８のコンテンツ音声の周波数分布テーブルの内容を説明するための図である。
【図１０】コンテンツ音声の基準周波数分布の事前解析処理を説明するためのフローチャートである。
【図１１】第２実施形態における周波数特性の補正処理を説明するためのフローチャートである。
【発明を実施するための形態】
【００１４】
以下、本発明の実施形態を説明する。なお、以下の説明及び図面においては、同一の要素には同一の符号を付し、重複する記載を省略する。
【００１５】
［第１実施形態］
まず、本発明の第１実施形態を、図１〜図７を参照して説明する。
【００１６】
［構成］
図１には、本第１実施形態に係る音響装置１００Ａの構成が概略的に示されている。この図１に示されるように、音響装置１００Ａは、車両ＣＲに搭載される。また、音響装置１００Ａは、レフトチャンネル（以下、「Ｌチャンネル」という）音声及びライトチャンネル（以下、「Ｒチャンネル」という）音声を車室内へ出力するステレオ方式を採用している。
【００１７】
音響装置１００Ａは、音源部１１０と、収音手段としての収音部１２０と、操作入力部１３０とを備えている。また、音響装置１００Ａは、デジタル処理部１４０Ａと、アナログ処理部１５０と、Ｌチャンネル用のスピーカ１６０Lと、Ｒチャンネル用のスピーカ１６０Rとを備えている。
【００１８】
上記の音源部１１０は、デジタル処理部１４０Ａから送られた読取制御信号ＲＤＣに従って、音声コンテンツデータ信号ＣＴＤ及び音声コンテンツ読取の状態情報ＳＴＳを出力する。こうして出力された音声コンテンツデータ信号ＣＴＤ及び状態情報ＳＴＳは、デジタル処理部１４０Ａへ送られる。
【００１９】
本第１実施形態では、音声コンテンツは楽曲コンテンツであり、状態情報ＳＴＳとして、楽曲コンテンツの読取の開始及び終了の情報、並びに、楽曲の識別情報等が出力されるようになっている。
【００２０】
なお、音響装置１００Ａが、ＤＶＤ（Digital Versatile Disk）等の記録媒体に記録された楽曲コンテンツを再生する装置である場合には、音源部１１０は、当該記録媒体から楽曲コンテンツを読み取る読取手段を備えることになる。
【００２１】
上記の収音部１２０は、音場空間である車両ＣＲの車室内の所定位置に設置されたマイクロフォンを備えて構成される。この収音部１２０は、当該マイクロフォンに到達した音を収音する。この収音の結果が、収音データＡＳＤとして、デジタル処理部１４０Ａへ送られる。
【００２２】
上記の操作入力部１３０は、音響装置１００Ａの本体部に設けられたキー部、及び／又はキー部を備えるリモート入力装置等により構成される。ここで、本体部に設けられたキー部としては、不図示の表示デバイスに設けられたタッチパネルを用いることができる。なお、キー部を有する構成に代えて、又は併用して音声認識技術を利用して音声にて入力する構成を採用することもできる。
【００２３】
この操作入力部１３０を利用者が操作することにより、音響装置１００Ａの動作内容の設定が行われる。例えば、再生出力する楽曲の指定、スピーカ１６０L，１６０Rから出力される音声の音量調整等を、利用者が操作入力部１３０を利用して行う。こうした入力内容は、操作入力データＩＰＤとして、操作入力部１３０からデジタル処理部１４０Ａへ送られる。
【００２４】
上記のデジタル処理部１４０Ａは、音源部１１０から送られた音声コンテンツデータ信号ＣＴＤの周波数特性の調整を行って、調整信号ＣＳＤL，ＣＳＤRを生成する。また、デジタル処理部１４０Ａは、操作入力部１３０に入力された出力音量指定に従って、音量調整指定ＶＬＣL，ＶＬＣRを生成する。こうして生成された調整信号ＣＳＤL，ＣＳＤR及び音量調整指定ＶＬＣL，ＶＬＣRは、アナログ処理部１５０へ送られる。
【００２５】
なお、デジタル処理部１４０Ａの詳細については、後述する。
【００２６】
上記のアナログ処理部１５０は、デジタル処理部１４０Ａから送られた調整信号ＣＳＤL，ＣＳＤR及び音量調整指定ＶＬＣL，ＶＬＣRを受ける。そして、アナログ処理部１５０は、調整信号ＣＳＤL，ＣＳＤR及び音量調整指定ＶＬＣL，ＶＬＣRに基づいて、出力音信号ＡＯＳL，ＡＯＳRを生成する。こうして生成された出力音信号ＡＯＳL，ＡＯＳRは、スピーカ１６０L，１６０Rへ送られる。
【００２７】
上記のスピーカ１６０Lは、アナログ処理部１５０から送られた出力音信号ＡＯＳLを受ける。そして、スピーカ１６０Lは、出力音信号ＡＯＳLに従って音声再生を行い、再生された音声を車室内へ出力する。
【００２８】
上記のスピーカ１６０Rは、アナログ処理部１５０から送られた出力音信号ＡＯＳRを受ける。そして、スピーカ１６０Rは、出力音信号ＡＯＳRに従って音声再生を行い、再生された音声を車室内へ出力する。
【００２９】
次に、上述したデジタル処理部１４０Ａの構成を説明する。このデジタル処理部１４０Ａは、図２に示されるように、チャンネル分離部１４１と、補正手段としての周波数特性調整部１４２L，１４２Rと、処理制御部１４３Ａとを備えている。
【００３０】
上記のチャンネル分離部１４１は、音源部１１０から送られた音声コンテンツデータ信号ＣＴＤを受ける。そして、チャンネル分離部１４１は、音声コンテンツデータ信号ＣＴＤを展開し、Ｌチャンネルの分離チャンネル信号ＳＣＤLと、Ｒチャンネルの分離チャンネル信号ＳＣＤRとに分離する。
【００３１】
分離チャンネル信号ＳＣＤLは、周波数特性調整部１４２L及び処理制御部１４３Ａへ送られる。また、分離チャンネル信号ＳＣＤRは、周波数特性調整部１４２R及び処理制御部１４３Ａへ送られる。
【００３２】
上記の周波数特性調整部１４２Lは、チャンネル分離部１４１から送られた分離チャンネル信号ＳＣＤLを受ける。そして、周波数特性調整部１４２Lは、処理制御部１４３Ａから送られた周波数特性調整指令ＦＣＣLに従って、分離チャンネル信号ＳＣＤLの周波数特性を調整し、調整信号ＣＳＤLを生成する。こうして生成された調整信号ＣＳＤLは、アナログ処理部１５０へ送られる。
【００３３】
上記の周波数特性調整部１４２Rは、チャンネル分離部１４１から送られた分離チャンネル信号ＳＣＤRを受ける。そして、周波数特性調整部１４２Rは、処理制御部１４３Ａから送られた周波数特性調整指令ＦＣＣRに従って、分離チャンネル信号ＳＣＤRの周波数特性を調整し、調整信号ＣＳＤRを生成する。こうして生成された調整信号ＣＳＤRは、アナログ処理部１５０へ送られる。
【００３４】
上記の処理制御部１４３Ａは、音響装置１００Ａとしての機能を発揮させるために、様々な処理を行う。この処理制御部１４３Ａは、図３に示されるように、第１解析手段としての周波数分布解析部２１０Oと、第２解析手段としての周波数分布解析部２１０Iとを備えている。また、処理制御部１４３Ａは、算出手段及び決定手段としての調整補正量算出部２２０と、制御部２３０Ａとを備えている。
【００３５】
上記の周波数分布解析部２１０Oは、収音部１２０から送られた収音データＡＳＤを受ける。この周波数分布解析部２１０Oは、制御部２３０Ａから送られた解析期間指定ＡＰＣにより指定された解析期間における収音データＡＳＤに基づいて、当該解析期間における収音音声の周波数分布（第１周波数分布）の解析を行う。周波数分布解析部２１０Oによる解析の結果は、周波数分布ＳＰOとして、調整補正量算出部２２０へ送られる。
【００３６】
上記の周波数分布解析部２１０Iは、チャンネル分離部１４１から送られた分離チャンネル信号ＳＣＤL，ＳＣＤRを受ける。この周波数分布解析部２１０Iは、制御部２３０Ａから送られた解析期間指定ＡＰＣにより指定された解析期間（すなわち、周波数分布解析部２１０Oの解析期間と同一の期間）における分離チャンネル信号ＳＣＤLと分離チャンネル信号ＳＣＤRとの和に基づいて、当該解析期間における再生出力が指定された楽曲コンテンツに対応するコンテンツ音声の周波数分布（第３周波数分布）の解析を行う。周波数分布解析部２１０Iによる解析の結果は、基準周波数分布ＲＳＰIとして、調整補正量算出部２２０へ送られる。
【００３７】
なお、周波数分布解析部２１０O，２１０Iは、指定された解析期間の長さが、第１所定時間Ｔ１に満たない場合には、当該指定された解析期間における解析結果を調整補正量算出部２２０へ送らず、次の解析期間の指定を待つようになっている。ここで、「第１所定時間Ｔ１」は、有効な周波数分布の解析結果が得られるとの観点から、実験、シミュレーション、経験等に基づいて、予め定められる。
【００３８】
上記の調整補正量算出部２２０は、周波数分布解析部２１０Oから送られた周波数分布ＳＰO、及び、周波数分布解析部２１０Iから送られた基準周波数分布ＲＳＰIを受ける。そして、調整補正量算出部２２０は、周波数分布ＳＰO及び基準周波数分布ＲＳＰIに基づいて、調整補正量ＤＦＣを算出する。なお、調整補正量ＤＦＣは、解析期間中の周波数特性調整の設定量に対する補正量となっている。
【００３９】
以下の説明では、上述した周波数分布ＳＰO、基準周波数分布ＲＳＰI及び調整補正量ＤＦＣ、並びに、後述する周波数分布ＳＰIは周波数Ｆの関数であるので、数式中又は図面中においては、これらを、ＳＰO（Ｆ）、ＲＳＰI（Ｆ）、ＤＦＣ（Ｆ）及びＳＰI（Ｆ）と記すものとする。
【００４０】
調整補正量ＤＦＣの算出に際して、調整補正量算出部２２０は、まず、制御部２３０Ａにより指定された係数Ｋを使用して、次の（１）式により、周波数分布（第２周波数分布）ＳＰIを算出する。
ＳＰI（Ｆ）＝Ｋ・ＲＳＰI（Ｆ）                  …（１）
【００４１】
引き続き、調整補正量算出部２２０は、周波数分布ＳＰIにおいて所定レベル値ＬＶTH以上のレベル値となっている周波数範囲を、周波数特性の補正を行う補正周波数範囲に決定する。ここで、「所定レベル値ＬＶTH」は、収音部１２０のマイクロフォンにより有効な収音ができ、及び、想定されるノイズ音の周波数分布におけるレベルよりも十分に大きなレベルとなっているとの観点から、実験、シミュレーション、経験等に基づいて、予め定められる。
【００４２】
そして、調整補正量算出部２２０は、周波数分布ＳＰOと周波数分布ＳＰIとを比較し、決定された補正周波数範囲における周波数分布ＳＰOと周波数分布ＳＰIとの差をなくすための調整補正量ＤＦＣを算出する。こうして算出された調整補正量ＤＦＣは、制御部２３０Ａへ送られる。
【００４３】
上記の制御部２３０Ａは、音響装置１００Ａの機能を果たすための様々な制御を行う。かかる制御には、音源部１１０からの楽曲コンテンツの読取制御、スピーカ１６０L，１６０Rから出力される音声の音量指定、周波数分布解析部２１０O，２１０Iによる周波数分布の解析期間の指定、上述した係数Ｋの指定、及び、周波数特性調整部１４２L，１４２Rにおける周波数特性の調整態様の指定が含まれている。
【００４４】
すなわち、制御部２３０Ａは、再生出力すべき楽曲コンテンツの指定が操作入力部１３０に入力されると、当該指定された楽曲コンテンツの読み取るための読取制御信号ＲＤＣを音源部１１０へ送る。この結果、当該指定された楽曲コンテンツに対応する音声コンテンツデータ信号ＣＴＤが、音源部１１０から出力され、チャンネル分離部１４１へ送られる。
【００４５】
また、制御部２３０Ａは、出力音量の増減指定が操作入力部１３０に入力されると、当該増減指定に対応した音量調整値を指定する音量調整指定ＶＬＣL，ＶＬＣRを生成する。そして、制御部２３０Ａは、生成された音量調整指定ＶＬＣL，ＶＬＣRをアナログ処理部１５０へ送る。
【００４６】
さらに、制御部２３０Ａは、音源部１１０から送られた状態情報ＳＴＳにより、指定された楽曲のコンテンツの読取が開始されたことを認識すると、解析を開始すべき旨を指定した解析期間指定ＡＰＣを周波数分布解析部２１０O，２１０Iへ送る。また、制御部２３０Ａは、音源部１１０から送られた状態情報ＳＴＳにより、指定された楽曲のコンテンツの読取が終了したことを認識すると、解析を終了すべき旨を指定した解析期間指定ＡＰＣを周波数分布解析部２１０O，２１０Iへ送る。
【００４７】
なお、制御部２３０Ａは、解析期間中に出力音量の増減指定が入力されると、直ちに、解析を終了すべき旨を指定した解析期間指定ＡＰＣを周波数分布解析部２１０O，２１０Iへ送る。そして、制御部２３０Ａは、出力音量の増減指定の入力が第２所定時間Ｔ２にわたって行われず、かつ、指定された楽曲のコンテンツの読取中である場合に、解析を開始すべき旨を指定した解析期間指定ＡＰＣを、再度、周波数分布解析部２１０O，２１０Iへ送る。
【００４８】
また、制御部２３０Ａは、解析期間の終了に際して、次の（２）式により、上述した係数Ｋを算出する。こうして算出された係数Ｋは、調整補正量算出部２２０へ送られる。
Ｋ＝Ｃ・ＶＬ                        …（２）
ここで、「Ｃ」は、定数である。また、「ＶＬ」は、終了の対象となった解析期間における出力音量の設定値である。
【００４９】
なお、「定数Ｃ」は、出力音信号ＡＯＳL，ＡＯＳRの和のレベルと、当該出力音信号ＡＯＳL，ＡＯＳRに従ってスピーカ１６０L，１６０Rから出力された音声の収音部１２０による収音結果のレベルとの比の値であり、実験、シミュレーション等により予め定められる。
【００５０】
また、制御部２３０Ａは、調整補正量算出部２２０から送られた調整補正量ＤＦＣを受ける。そして、制御部２３０Ａは、現時点において周波数特性調整部１４２L，１４２Rに設定されている周波数特性調整量のそれぞれを調整補正量ＤＦＣの１／２だけ変更した周波数特性調整量を指定した周波数特性調整指令ＦＣＣL，ＦＣＣRを生成する。こうして生成された周波数特性調整指令ＦＣＣL，ＦＣＣRは、周波数特性調整部１４２L，１４２Rへ送られる。
【００５１】
次に、上記のアナログ処理部１５０について説明する。このアナログ処理部１５０は、図４に示されるように、Ｌチャンネル処理部１５５Lと、Ｒチャンネル処理部１５５Rとを備えている。
【００５２】
上記のｋチャンネル処理部１５０k（ｋ＝Ｌ，Ｒ）のそれぞれは、ＤＡ（Digital to Analogue）変換部１５１kと、音量調整部１５２kと、パワー増幅部１５３kとを備えている。
【００５３】
上記のＤＡ変換部１５１kは、ＤＡ変換器を備えて構成される。このＤＡ変換部１５１kは、デジタル処理部１４０Ａから送られた調整信号ＣＳＤkを受ける。そして、ＤＡ変換部１５１kは、調整信号ＣＳＤkのそれぞれをＤＡ変換して、アナログ形式の信号ＣＳＳkを生成する。こうして生成された信号ＣＳＳkは、音量調整部１５２kへ送られる。
【００５４】
上記の音量調整部１５２kは、電子ボリューム素子を備えて構成される。この音量調整部１５２kは、ＤＡ変換部１５１kから送られた信号ＣＳＳkを受ける。そして、音量調整部１５２kは、信号ＣＳＳkのそれぞれに対して、デジタル処理部１４０Ａから送られた音量調整指定ＶＬＣkに従って、音量を調整する。かかる音量調整結果は、信号ＶＣＳkとして、パワー増幅部１５３kへ向けて出力される。
【００５５】
上記パワーの増幅部１５３kは、パワー増幅手段を備えて構成される。このパワー増幅部１５３kは、音量調整部１５２kから送られた信号ＶＣＳkを受ける。そして、パワー増幅部１５３kは、信号ＶＣＳkをパワー増幅して、出力音信号ＡＯＳkを生成する。こうして生成された出力音信号ＡＯＳkが、スピーカ１６０kへ送られる。
【００５６】
＜動作＞
次に、上記のように構成された音響装置１００Ａの動作について、周波数特性の補正処理に主に着目して説明する。
【００５７】
音響装置１００Ａでは、楽曲コンテンツを指定した再生指令が操作入力部１３０に入力されると、デジタル処理部１４０Ａにおける処理制御部１４３Ａの制御部２３０Ａが、当該指定された楽曲コンテンツの読み取るための読取制御信号ＲＤＣを音源部１１０へ送る。この結果、当該指定された楽曲コンテンツに対応する音声コンテンツデータ信号ＣＴＤが、音源部１１０からデジタル処理部１４０Ａへ送られる（図１参照）。
【００５８】
デジタル処理部１４０Ａでは、音声コンテンツデータ信号ＣＴＤを受けたチャンネル分離部１４１が、音声コンテンツデータ信号ＣＴＤを展開して、分離チャンネル信号ＳＣＤLと分離チャンネル信号ＳＣＤRとに分離する。そして、分離チャンネル信号ＳＣＤLが、周波数特性調整部１４２L及び処理制御部１４３Ａへ送られるとともに、分離チャンネル信号ＳＣＤRが、周波数特性調整部１４２R及び処理制御部１４３Ａへ送られる（図２参照）。
【００５９】
分離チャンネル信号ＳＣＤk（ｋ＝Ｌ，Ｒ）を受けた周波数特性調整部１４２kは、最新に処理制御部１４３Ａの制御部２３０Ａから送られた周波数特性調整指令ＦＣＣkにより指定された周波数特性調整量に従って、分離チャンネル信号ＳＣＤkの周波数特性を調整する。そして、周波数特性調整部１４２kは、調整信号ＣＳＤkをアナログ処理部１５０へ送る（図２参照）。
【００６０】
調整信号ＣＳＤk（ｋ＝Ｌ，Ｒ）を受けたアナログ処理部１５０では、まず、ＤＡ変換部１５１kが、調整信号ＣＳＤkをアナログ形式の信号ＣＳＳkに変換する。次いで、音量調整部１５２kが、デジタル処理部１４０Ａにおける処理制御部１４３Ａの制御部２３０Ａから送られた音量調整指定ＶＬＣkに従い、信号ＣＳＳkに対して音量調整を施す。かかる調整結果は、信号ＶＣＳkとしてパワー増幅部１５３kへ向けて送られる。パワー増幅部１５３kは、信号ＶＣＳkをパワー増幅して、出力音信号ＡＯＳkを生成する。そして、出力音声信号ＡＯＳkがスピーカ１６０kに供給される（図４参照）。
【００６１】
ここで、音量調整指定ＶＬＣkは、操作入力部１３０に入力された出力音量指定に従って、制御部２３０Ａが生成するようになっている。
【００６２】
この結果、利用者により指定された楽曲コンテンツに対応する音声が、利用者により指定された音量で、スピーカ１６０L，１６０Rから出力される。
【００６３】
以上の楽曲コンテンツに対応する音声の再生出力処理と並行して、周波数特性調整量の算出処理が行われる。かかる周波数特性調整量の算出処理では、図５に示されるように、まず、ステップＳ１１において、制御部２３０Ａが、解析を開始すべきか否かを判定する。かかる判定に際して、制御部２３０Ａは、音源部１１０から送られた状態情報ＳＴＳにより、指定された楽曲のコンテンツの読取が開始されたことを認識すると、解析を開始すべきと判定する。また、制御部２３０Ａは、指定された楽曲のコンテンツの読取中に出力音量の変更指定が操作入力部１３０に入力された後、出力音量の変更指定が、上述した第２所定時間Ｔ２にわたってなされなかった場合に、解析期間が開始すべきと判定する。このステップＳ１１における判定の結果が否定的であった場合（ステップＳ１１：Ｎ）には、ステップＳ１１の処理が繰り返される。
【００６４】
ステップＳ１１における判定の結果が肯定的な場合（ステップＳ１１：Ｙ）には、制御部２３０Ａが、解析を開始すべき旨を指定した解析期間指定ＡＰＣを周波数分布解析部２１０O，２１０Iへ送る。そして、処理はステップＳ１２へ進む。ステップＳ１２では、周波数分布解析部２１０Oが収音音声の周波数分布解析を実行するとともに、周波数分布解析部２１０Iがコンテンツ音声の周波数分布解析を実行する。
【００６５】
次に、ステップＳ１３では、制御部２３０Ａが、解析を終了すべきか否かを判定する。かかる判定に際して、制御部２３０Ａは、音源部１１０から送られた状態情報ＳＴＳにより、指定された楽曲のコンテンツの読取が終了したことを認識すると、解析を終了すべきと判定する。また、制御部２３０Ａは、解析期間中に出力音量の変更指定が操作入力部１３０に入力された場合に、解析を終了すべきと判定する。このステップＳ１３における判定の結果が否定的であった場合（ステップＳ１３：Ｎ）には、処理はステップＳ１２へ戻る。そして、ステップＳ１３における判定の結果が肯定的となるまで、ステップＳ１２，Ｓ１３の処理が繰り返される。
【００６６】
ステップＳ１３における判定の結果が肯定的な場合（ステップＳ１３：Ｙ）には、制御部２３０Ａが、解析を終了すべき旨を指定した解析期間指定ＡＰＣを周波数分布解析部２１０O，２１０Iへ送る。この結果、ステップＳ１２における周波数分布解析部２１０O，２１０Iによる周波数分布解析が終了する。そして、処理はステップＳ１４へ進む。
【００６７】
ステップＳ１４では、今回の解析期間の長さが、第１所定時間Ｔ１以上であったか否かが判定される。この判定の否定的であった場合（ステップＳ１４：Ｎ）には、周波数分布解析部２１０O，２１０Iは、直ちに、次の解析期間の開始の待ち状態となり、処理がステップＳ１１に戻る。
【００６８】
ステップＳ１４における判定の結果が肯定的であった場合（ステップＳ１４：Ｙ）には、周波数分布解析部２１０Oが、今回の解析期間における解析結果を、周波数分布ＳＰOとして、調整補正量算出部２２０へ送るとともに、周波数分布解析部２１０Iが、今回の解析期間における解析結果を、基準周波数分布ＲＳＰIとして、調整補正量算出部２２０へ送る。また、制御部２３０Ａが、上述した（２）式により算出された係数Ｋを、調整補正量算出部２２０へ送る。この後、処理はステップＳ１５へ進む。
【００６９】
ステップＳ１５では、調整補正量算出部２２０が、今回の解析期間における解析結果に基づく周波数特性の補正を行う補正周波数範囲を決定する。かかる補正周波数範囲の決定に際して、調整補正量算出部２２０は、まず、上述した（１）式により、周波数分布ＳＰIを算出する。そして、調整補正量算出部２２０は、算出された周波数分布ＳＰIにおいて、所定レベル値ＬＶTH以上のレベル値となっている周波数範囲を補正周波数範囲に決定する。
【００７０】
次に、ステップＳ１６において、調整補正量算出部２２０が、補正周波数範囲を決定できたか否かを判定する。この判定の結果が否定的であった場合（ステップＳ１６：Ｎ）には、調整補正量算出部２２０は、その旨を制御部２３０Ａへ報告する。そして、処理はステップＳ１１へ戻る。
【００７１】
ステップＳ１６における判定の結果が肯定的であった場合（ステップＳ１６：Ｙ）には、処理はステップＳ１７へ進む。このステップＳ１７では、調整補正量算出部２２０が、調整補正量ＤＦＣを算出する。かかる調整補正量ＤＦＣの算出に際して、調整補正量算出部２２０が、決定された補正周波数範囲における周波数分布ＳＰOと周波数分布ＳＰIとの差、及び、周波数分布ＳＰIの各周波数におけるレベル値に基づいて、調整補正量ＤＦＣを算出する。こうして算出された調整補正量ＤＦＣは、制御部２３０Ａへ送られる。
【００７２】
次いで、ステップＳ１８において、制御部２３０Ａが、調整補正量ＤＦＣに基づいて、周波数特性調整部１４２L，１４２Rに対して、周波数特性調整の設定を行う。かかる周波数特性調整の設定に際して、制御部２３０Ａは、現時点において周波数特性調整部１４２L，１４２Rに設定されている周波数特性調整量のそれぞれを調整補正量ＤＦＣの１／２だけ変更した周波数特性調整態様を指定した周波数特性調整指令ＦＣＣL，ＦＣＣRを生成する。そして、制御部２３０Ａは、生成された周波数特性調整指令ＦＣＣL，ＦＣＣRを、周波数特性調整部１４２L，１４２Rへ送る。
【００７３】
この結果、周波数特性調整部１４２L，１４２Rには、新たな周波数特性調整態様が設定される。以後、当該新たな周波数特性調整態様に従って周波数特性の調整が行われた再生音声が、スピーカ１６０L，１６０Rから出力されるようになる。
【００７４】
上述した周波数分布ＳＰO、周波数分布ＳＰI及び補正周波数範囲の例が、図６に示されている。また、調整補正量ＤＦＣの例が、図７に示されている。
【００７５】
以上説明したように、本第１実施形態では、周波数分布解析部２１０Iが、再生出力の対象となった楽曲コンテンツをそのまま反映したコンテンツ音声の基準周波数分布ＲＳＰIを得る。引き続き、調整補正量算出部２２０が、出力音量の設定値を考慮した周波数分布ＳＰIを算出する。そして、調整補正量算出部２２０が、周波数分布ＳＰIのレベル値が所定レベル値ＬＶTH以上となる範囲を、周波数特性の補正を行う補正周波数範囲に決定する。
【００７６】
一方、周波数分布解析部２１０Oが、当該楽曲コンテンツの再生出力音声が収音された収音音声の周波数分布解析を行って、周波数分布ＳＰOを得る。こうして得られた周波数分布ＳＰOと、周波数分布ＳＰIとの比較結果に基づいて、調整補正量算出部２２０が、決定された補正周波数範囲における調整補正量ＤＦＣを算出する。そして、算出された調整補正量ＤＦＣに基づく周波数特性の補正が、周波数特性調整部１４２L，１４２Rにより行われる。
【００７７】
したがって、本第１実施形態によれば、特別なテスト音声信号を用いずに、周波数特性の調整を適切に行うことができる。
【００７８】
［第２実施形態］
次に、本発明の第２実施形態を、主に、図８〜図１１を参照して説明する。
【００７９】
［構成］
本第２実施形態に係る音響装置は、上述した音響装置１００Ａと比べて、処理制御部１４３Ａに代えて、図８に示されるように構成されている処理制御部１４３Ｂを備えている点のみが異なっている。以下、この相違点に主に着目して説明する。
【００８０】
なお、以下の説明においては、処理制御部１４３Ｂを備える本第２実施形態のデジタル処理部を、「デジタル処理部１４０Ｂ」と記すものとする。また、当該デジタル処理部１４０Ｂを備える本第２実施形態に係る音響装置を、「音響装置１００Ｂ」と記すものとする。
【００８１】
上記の処理制御部１４３Ｂは、図８に示されるように、上述した処理制御部１４３Ａと比べて、制御部２３０Ａに代えて制御部２３０Ｂを備えている。また、処理制御部１４３Ｂでは、周波数分布解析部２１０Iは、上述した基準周波数分布ＲＳＰIを制御部２３０Ｂへ送るようになっている。
【００８２】
上記の制御部２３０Ｂは、周波数分布情報テーブルＲＳＩを記憶する記憶手段としての記憶部２３１を備えて構成されている。この制御部２３０Ｂは、音響装置１００Ｂの機能を果たすための様々な制御を行う。かかる制御には、上述した制御部２３０Ａの場合と同様に、音源部１１０からの楽曲コンテンツの読取制御、スピーカ１６０L，１６０Rから出力される音声の音量指定、周波数分布解析部２１０O，２１０Iによる周波数分布の解析期間の指定、上述した係数Ｋの指定、及び、周波数特性調整部１４２L，１４２Rにおける周波数特性の調整態様の指定が含まれている。そして、制御部２３０Ｂによる制御には、調整補正量算出部２２０に対する基準周波数分布ＲＳＰIの指定が更に含まれている。ここで、制御部２３０Ｂは、楽曲コンテンツの読取制御、音量指定及び周波数特性の調整態様の指定については、制御部２３０Ａの場合と同様にして、制御処理を実行する。
【００８３】
なお、制御部２３０Ｂは、楽曲コンテンツの再生出力が指定されていない期間には、スピーカ１６０L，１６０Rから出力される音声の音量が無音となるミュート指定を行うようになっている。
【００８４】
制御部２３０Ｂは、周波数分布解析部２１０Oに対する周波数分布の解析期間の指定に際して、音源部１１０から送られた状態情報ＳＴＳにより、再生出力が指定された楽曲のコンテンツの読取が開始されたことを認識すると、解析を開始すべき旨を指定した解析期間指定ＡＰＣOを周波数分布解析部２１０Oへ送る。また、制御部２３０Ｂは、音源部１１０から送られた状態情報ＳＴＳにより、当該指定された楽曲のコンテンツの読取が終了したことを認識すると、解析を終了すべき旨を指定した解析期間指定ＡＰＣOを周波数分布解析部２１０Oへ送る。
【００８５】
なお、制御部２３０Ｂは、当該指定された楽曲コンテンツの再生中に出力音量の増減指定が入力されると、直ちに、解析を中断すべき旨を指定した解析期間指定ＡＰＣOを周波数分布解析部２１０Oへ送る。この結果、周波数分布解析部２１０Oは、解析結果を調整補正量算出部２２０へ送ることなく、解析処理を中断する。そして、周波数分布解析部２１０Oは、次の解析を開始すべき旨を指定した解析期間指定ＡＰＣOの待ち状態となるようになっている。
【００８６】
また、制御部２３０Ｂは、楽曲コンテンツの再生出力が行われていない状態において、音源部１１０に収納されている楽曲コンテンツに基づく音声の基準周波数分布ＲＳＰIの事前解析の制御を、解析期間指定ＡＰＣIを発行することにより行う。かかる事前解析の制御については、後述する。
【００８７】
上記の周波数分布情報テーブルＲＳＩには、図９に示されるように、楽曲コンテンツごとに、識別情報ＩＤＩj（ｊ＝１，２，…）と、１曲分の基準周波数分布ＲＳＰIjとが関連付けられて登録されている。なお、識別情報ＩＤＩjには、楽曲名、演奏者、演奏場所等の個々の楽曲コンテンツを特定するための情報から構成されている。
【００８８】
＜動作＞
次に、上記のように構成された音響装置１００Ｂの動作について、上述した音響装置１００Ａの動作の相違点に主に着目して説明する。
【００８９】
音響装置１００Ｂでは、音源部１１０に収納されている楽曲コンテンツそれぞれに対応するコンテンツ音声の基準周波数分布の解析を事前に行って、記憶部２３１内の周波数分布情報テーブルＲＳＩに登録しておく点が、音響装置１００Ａの場合と大きく異なっている。そして、再生出力が指定された楽曲コンテンツの再生出力時には、収音音声の周波数分布解析のみを行い、再生出力が指定された楽曲コンテンツの基準周波数分布については、制御部２３０Ｂから調整補正量算出部２２０へ送るようになっている。
【００９０】
《基準周波数分布の解析処理》
基準周波数分布の解析処理に際しては、図１０に示されるように、まず、ステップＳ２１において、制御部２３０Ｂが、コンテンツ音声の事前周波数分析を開始するか否かを判定する。かかる判定に際して、制御部２３０Ｂは、まず、音源部１１０に収納されている楽曲コンテンツの中に、周波数分布情報テーブルＲＳＩに基準周波数分布が登録されていない楽曲コンテンツが存在し、かつ、いずれかの楽曲コンテンツの再生出力中ではない事前周波数分布解析の開始条件を満たすか否かを判定する。ステップＳ２１における判定の結果が否定的であった場合（ステップＳ２１：Ｎ）には、ステップＳ２１の処理が繰り返される。
【００９１】
ステップＳ２１における判定の結果が肯定的であった場合（ステップＳ２１：Ｙ）には、制御部２３０Ｂは、周波数分布情報テーブルＲＳＩに基準周波数分布が登録されていない楽曲コンテンツの１つを選択し、当該選択された楽曲コンテンツを読み取るための読取制御信号ＲＤＣを音源部１１０へ送る。この結果、当該選択された楽曲コンテンツに対応する音声コンテンツデータ信号ＣＴＤが、音源部１１０からデジタル処理部１４０Ｂのチャンネル分離部１４１へ送られる。そして、分離チャンネル信号ＳＣＤL，ＳＣＤRが、周波数分布解析部２１０Iに送られるようになる。
【００９２】
引き続き、制御部２３０Ｂは、音源部１１０から送られた状態情報ＳＴＳにより、当該選択された楽曲のコンテンツの読取が開始されたことを認識すると、解析を開始すべきと認識し、解析を開始すべき旨を指定した解析期間指定ＡＰＣIを周波数分布解析部２１０Iへ送る（図８参照）。そして、処理はステップＳ２２へ進む。ステップＳ２２では、周波数分布解析部２１０Iが、分離チャンネル信号ＳＣＤL，ＳＣＤRに基づいてコンテンツ音声の周波数分布の解析を実行する。
【００９３】
次に、ステップ２４において、制御部２３０Ｂが、楽曲コンテンツを指定した再生指令が操作入力部１３０に入力されたか否かを判定する。この判定の結果が否定的であった場合（ステップＳ２４：Ｎ）には、処理はステップＳ２５へ進む。
【００９４】
ステップＳ２５では、制御部２３０Ｂが、解析を終了すべきか否かを判定する。かかる判定に際して、制御部２３０Ｂは、音源部１１０から送られた状態情報ＳＴＳにより、当該選択された楽曲のコンテンツの読取が終了したことを認識すると、解析を終了すべきと判定する。ステップＳ２５における判定の結果が否定的であった場合（ステップＳ２５：Ｎ）には、ステップＳ２２へ戻る。そして、ステップＳ２４における判定の結果が肯定的となるか、又は、ステップＳ２５における判定の結果が肯定的となるまで、ステップＳ２２，Ｓ２４，Ｓ２５の処理が繰り返される。
【００９５】
ステップＳ２２，Ｓ２４，Ｓ２５の処理の繰り返し中にステップＳ２４における判定の結果が肯定的となると（ステップＳ２４：Ｙ）、制御部２３０Ｂは、解析を中断すべき旨を指定した解析期間指定ＡＰＣIを周波数分布解析部２１０Iへ送る（図８参照）。この結果、周波数分布解析部２１０Iは、解析結果を制御部２３０Ｂへ送ることなく、解析処理を中断する。この後、処理はステップＳ２１へ戻る。
【００９６】
また、ステップＳ２２，Ｓ２４，Ｓ２５の処理の繰り返し中にステップＳ２５における判定の結果が肯定的となると（ステップＳ２５：Ｙ）、制御部２３０Ｂは、周波数解析処理を終了すべき旨を指定した解析期間指定ＡＰＣIを周波数分布解析部２１０Iへ送る。この結果、周波数分布解析部２１０Iは、今回の解析期間における解析結果を、基準周波数分布ＲＳＰIとして、制御部２３０Ｂへ送る（図８参照）。そして、処理はステップＳ２６へ進む。
【００９７】
ステップＳ２６では、周波数分布解析部２１０Iから送られた基準周波数分布ＲＳＰIを受けた制御部２３０Ｂが、当該基準周波数分布ＲＳＰIと当該選択された楽曲コンテンツの識別情報とを関連付けて、周波数分布情報テーブルＲＳＩ内に登録する。この後、処理はステップＳ２１へ戻る。
【００９８】
以上のステップＳ２１，Ｓ２２，Ｓ２４〜Ｓ２６の処理が繰り返されることにより、音源部１１０に収納されている楽曲コンテンツそれぞれに対応するコンテンツ音声の基準周波数分布が、周波数分布情報テーブルＲＳＩ内に登録される。
【００９９】
《調整補正量の算出処理》
次に、調整補正量ＤＦＣの算出処理について、説明する。
【０１００】
調整補正量ＤＦＣの算出処理に際しては、図１１に示されるように、まず、ステップＳ３１において、制御部２３０Ｂが、周波数分布解析部２１０Oの解析を開始すべきか否かを判定する。かかる判定に際して、楽曲コンテンツを指定した再生指令が操作入力部１３０に入力された場合に、制御部２３０Ｂは、当該指定された楽曲コンテンツに対応するコンテンツ音声の基準周波数分布が、周波数分布情報テーブルＲＳＩ内に登録されているか否かの第１開始条件が満たされたか否かの判定を行う。この第１開始条件の判定の結果が否定的であった場合には、ステップＳ３１における判定の結果が否定的となり（ステップＳ３１：Ｎ）、処理はステップＳ３１に戻り、新たな楽曲コンテンツの再生指令待ちとなる。
【０１０１】
上記の第１開始条件の判定の結果が肯定的であった場合には、制御部２３０Ｂは、音源部１１０から送られた状態情報ＳＴＳにより、当該指定された楽曲のコンテンツの読取が開始されたとの第２開始条件が満たされたか否かの判定を行う。この判定の結果が否定的であった場合には、第２開始条件が満たされたか否かの判定処理が繰り返される。
【０１０２】
そして、第２開始条件が満たされると、制御部２３０Ｂが、周波数分布解析部２１０Oが解析を開始すべきと判定する。この結果、ステップＳ３１における判定の結果が肯定的となる。こうしてステップＳ３１における判定の結果が肯定的となると（ステップＳ３１：Ｙ）、制御部２３０Ｂが、解析を開始すべき旨を指定した解析期間指定ＡＰＣOを周波数分布解析部２１０Oへ送る（図８参照）。そして、処理はステップＳ３２へ進む。ステップＳ３２では、周波数分布解析部２１０Oが収音音声の周波数分布解析を実行する。
【０１０３】
次に、ステップＳ３４において、制御部２３０Ｂが、出力音量の変更指定が操作入力部１３０に入力されたか否かを判定する。この判定の結果が否定的であった場合（ステップＳ３４：Ｎ）には、処理はステップＳ３５へ進む。
【０１０４】
ステップＳ３５では、制御部２３０Ｂが、解析を終了すべきか否かを判定する。かかる判定に際して、制御部２３０Ｂは、音源部１１０から送られた状態情報ＳＴＳにより、当該指定された楽曲のコンテンツの読取が終了したことを認識すると、解析を終了すべきと判定する。ステップＳ３５における判定の結果が否定的であった場合（ステップＳ３５：Ｎ）には、処理はステップＳ３２へ戻る。そして、ステップＳ３４における判定の結果が肯定的となるか、又は、ステップＳ３５における判定の結果が肯定的となるまで、ステップＳ３２，Ｓ３４，Ｓ３５の処理が繰り返される。
【０１０５】
こうしたステップＳ３２，Ｓ３４，Ｓ３５の処理の繰り返し中にステップＳ３４における判定の結果が肯定的となると（ステップＳ３４：Ｙ）、制御部２３０Ｂは、解析を中断すべき旨を指定した解析期間指定ＡＰＣOを周波数分布解析部２１０Oへ送る（図８参照）。この結果、周波数分布解析部２１０Oは、解析結果を調整補正量算出部２２０へ送ることなく、解析処理を中断する。この後、処理はステップＳ３１へ戻る。
【０１０６】
また、ステップＳ３２，Ｓ３４，Ｓ３５の処理の繰り返し中にステップＳ３５における判定の結果が肯定的となると（ステップＳ３５：Ｙ）、制御部２３０Ｂは、周波数解析処理を終了すべき旨を指定した解析期間指定ＡＰＣOを周波数分布解析部２１０Oへ送る。この結果、周波数分布解析部２１０Oは、今回の解析期間における解析結果を、周波数分布ＳＰ0として、調整補正量算出部２２０へ送る（図８参照）。
【０１０７】
また、ステップＳ３５における判定の結果が肯定的となると（ステップＳ３５：Ｙ）、制御部２３０Ｂは、上述した制御部２３０Ａと同様に、係数Ｋを算出する。また、制御部２３０Ｂは、当該指定された楽曲コンテンツの基準周波数分布を周波数分布情報テーブルＲＳＩから読み取る。そして、制御部２３０Ｂは、読み取られた基準周波数分布を、基準周波数分布ＲＳＰIとして、算出された係数Ｋとともに調整補正量算出部２２０へ送る。そして、処理はステップＳ３６へ進む。
【０１０８】
以後、ステップＳ３６〜Ｓ３９において、上述した図５におけるステップＳ１５〜Ｓ１８の場合と同様の処理が実行される。すなわち、ステップＳ３６において、調整補正量算出部２２０が、補正周波数範囲の決定処理を行う。引き続き、ステップＳ３７において、調整補正量算出部２２０が、補正周波数範囲が決定できたか否かを判定する。この判定の結果が否定的であった場合（ステップＳ３７：Ｎ）には、調整補正量算出部２２０は、その旨を制御部２３０Ｂへ報告する。そして、処理はステップＳ３１へ戻る。
【０１０９】
ステップＳ３７における判定の結果が肯定的であった場合（ステップＳ３７：Ｙ）には、ステップＳ３８において、調整補正量算出部２２０が、調整補正量ＤＦＣを算出し、算出結果を制御部２３０Ｂへ送る。そして、ステップＳ３９において、制御部２３０Ｂが、調整補正量ＤＦＣに基づいて、周波数特性調整部１４２L，１４２Rに対して、周波数特性調整の設定を行う。
【０１１０】
この結果、周波数特性調整部１４２L，１４２Rには、新たな周波数特性調整態様が設定される。以後、当該新たな周波数特性調整態様に従って周波数特性の調整が行われた再生音声が、スピーカ１６０L，１６０Rから出力されるようになる。
【０１１１】
以上説明したように、本第２実施形態では、周波数分布解析部２１０Iが、再生出力期間以外の期間に、音源部１１０に収納された楽曲コンテンツをそのまま反映したコンテンツ音声の基準周波数分布ＲＳＰIの事前解析を行う。この事前解析の結果は、記憶部２３１内の周波数分布情報テーブルＲＳＩに登録される。
【０１１２】
一方、再生出力期間には、周波数分布解析部２１０Oが、当該指定された楽曲コンテンツの再生出力音声が収音された収音音声の周波数分布解析を行って、周波数分布ＳＰOを得る。また、事前測定された当該指定された楽曲コンテンツの基準周波数分布ＲＳＰIに基づいて、調整補正量算出部２２０が、出力音量の設定値を考慮した周波数分布ＳＰIを算出する。
【０１１３】
こうして得られた周波数分布ＳＰOと、周波数分布ＳＰIとの比較結果に基づいて、調整補正量算出部２２０が、決定された補正周波数範囲における調整補正量ＤＦＣを算出する。そして、算出された調整補正量ＤＦＣに基づく周波数特性の補正が、周波数特性調整部１４２L，１４２Rにより行われる。
【０１１４】
したがって、本第２実施形態によれば、上述した第１実施形態の場合と比べて、再生出力中における演算負荷を軽減しつつ、特別なテスト音声信号を用いずに、周波数特性の調整を適切に行うことができる。
【０１１５】
［実施形態の変形］
本発明は、上記の第１及び第２実施形態に限定されるものではなく、様々な変形が可能である。
【０１１６】
例えば、上記の第１実施形態では、再生出力中に出力音量の変更指定がなされた場合には解析期間が終了し、当該解析期間における解析結果に基づいて周波数調整を行うようにした。これに対し、第２実施形態の場合と同様に、再生出力中に出力音量の変更指定がなされた場合には解析処理を中断し、今回の解析処理の中断時までに得られた解析結果を、周波数特性の補正に利用しないようにしてもよい。
【０１１７】
また、上記の第２実施形態では、１曲分を単位として基準周波数分布の解析を行い、その解析結果を記憶するようにしたが、１曲分を分割し、分割された部分を単位として基準周波数分布の解析を行い、その解析結果を記憶するようにしてもよい。この場合には、分割された部分の基準周波数分布に基づいて、補正周波数範囲となり得る周波数範囲の共通性を考慮したうえで、解析期間を定めるようにすることにより、効率的な周波数特性の補正を行うことができる。
【０１１８】
また、上記の第２実施形態では、楽曲コンテンツに対応するコンテンツ音声の基準周波数分布を、再生時と同様にチャンネル分離をした音声信号に基づいて解析するようにした。これに対し、楽曲コンテンツの記憶内容そのものに基づいて基準周波数分布の解析を行って、基準周波数分布を取得するようにしてもよい。
【０１１９】
また、上記の第２実施形態では、音響装置内の周波数分布解析手段により、コンテンツ音声の解析を行って基準周波数分布を取得するようにしたが、他の装置により得られた基準周波数分布を、通信、又は、可搬型の記憶素子を利用して取得するようにしてもよい。
【０１２０】
また、第１及び第２実施形態では、音源部には一般の楽曲コンテンツのみが収納されるようにしたが、基準周波数分布が既知の周波数特性調整用の楽曲コンテンツを併せて収納しておき、当該周波数特性調整用の楽曲コンテンツを利用して、周波数特性の調整補正量の取得を行うようにしてもよい。
【０１２１】
また、上記の第１及び第２実施形態では、補正周波数範囲の決定の際に利用する所定レベル値ＬＶTHを、周波数に依存しない一定値とした。これに対し、予め行われた発生ノイズ音の周波数分布の解析結果に基づいて、周波数の変化に応じて変化するように所定レベル値ＬＶTHを定めるようにしてもよい。
【０１２２】
また、上記の第１及び第２実施形態では、２チャンネルのステレオ方式を採用する音響装置に対して本発明を適用したが、１チャンネルのモノラル方式、３チャンネル以上のマルチサラウンド方式を採用する音響装置に対して本発明を適用してもよい。
【０１２３】
また、上記の第１及び第２実施形態では、音源部１１０に収納されるコンテンツを楽曲コンテンツとしたが、聴取者に大きな違和感を与えない音声を含むコンテンツであれば、音源部１１０に収納されるコンテンツは楽曲コンテンツに限られない。
【０１２４】
また、上記の第１及び第２実施形態では、音響装置がスピーカを備えるようにしたが、音響装置とは別途に用意されたスピーカを用いることにし、音響装置としてはスピーカを備えていない構成とするようにしてもよい。
【０１２５】
また、上記の第１及び第２実施形態では、車両に搭載される音響装置に本発明を適用したが、家庭内に設置される音響装置等に本発明を適用できるのは、勿論である。
【０１２６】
なお、上記の実施形態におけるデジタル処理部を中央処理装置（ＣＰＵ：Central Processor Unit）やＤＳＰ（Digital Signal Processor）を備えるコンピュータシステムとして構成し、上述したデジタル処理部の全部又は一部の機能を、プログラムの実行によって実現するようにすることができる。これらのプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１２７】
１００Ａ，１００Ｂ …  音響装置
１２０             …  収音部（収音手段）
１４２L，１４２R    …  周波数特性調整部（補正手段）
１６０L，１６０R    …  スピーカ
２１０O            …  周波数分布解析部（第１解析手段）
２１０I            …  周波数分布解析部（第２解析手段）
２２０             …  調整補正量算出部（算出手段及び決定手段）
２３１             …  記憶部（記憶手段）
【図１】
2012085198.tif 000003
【図２】
2012085198.tif 000004
【図３】
2012085198.tif 000005
【図４】
2012085198.tif 000006
【図５】
2012085198.tif 000007
【図６】
2012085198.tif 000008
【図７】
2012085198.tif 000009
【図８】
2012085198.tif 000010
【図９】
2012085198.tif 000011
【図１０】
2012085198.tif 000012
【図１１】
2012085198.tif 000013